(57)【要約】【課題】コンパクトで後部フィルター等の光学素子を容易に挿脱できる後部フィルター付き撮影装置を提供すること。【解決手段】内面に第１ヘリコイドを形成した固定鏡筒部と、該固定鏡筒部の外側に光軸中心に回動自在に配置された合焦操作筒と、前記固定鏡筒部の内側に光軸中心に回動自在に配置され前記第１ヘリコイドと係合する第２ヘリコイドを外面に設けた回転筒と、前記合焦操作筒の回転運動を前記回転筒に伝達し光軸方向移動を伝達しない連結部と、前記回転筒に一体に取付られた最後レンズ用保持枠と、前記回転筒又は前記最後レンズ用保持枠の一方の光軸方向移動が伝達され回転運動が伝達されず、後部フィルターを着脱自在に保持する後部フィルター保持枠と、前記固定鏡筒と一体で前記最後レンズ用保持枠の回転運動を規制する回動規制部とを備えたことを特徴とする後部フィルター付き撮影装置。【選択図】      図１
2005037532.tif 000002
【特許請求の範囲】
【請求項１】
内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備えたことを特徴とする後部フィルター付き撮影装置。
【請求項２】
前記回転筒が、内面に第３ヘリコイドを有し、前記回転筒の内側に光軸方向に移動自在に配置されて非最後レンズを保持し、前記固定鏡筒部によって回転運動が規制され、外面に第３ヘリコイドに係合する第４ヘリコイドを設けた直進筒を有することを特徴とする請求項１に記載の後部フィルター付き撮影装置。
【請求項３】
内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備え、
撮影装置ハウジングに後部フィルター交換窓を設けた後部フィルター付き撮影装置。
【請求項４】
内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備えたことを特徴とする後部フィルター付き広角レンズ。
【請求項５】
前記回転筒が、内面に第３ヘリコイドを有し、前記回転筒の内側に光軸方向に移動自在に配置されて非最後レンズを保持し、前記固定鏡筒部によって回転運動が規制され、外面に第３ヘリコイドに係合する第４ヘリコイドを設けた直進筒を有することを特徴とする請求項４に記載の後部フィルター付き広角レンズ。
【発明の詳細な説明】
【０００１】
【発明の属する技術分野】
本発明は、後部フィルター付き撮影装置、さらに詳しくはフィルターをレンズのマウント側に装着した後部フィルター付き撮影装置に関する。
【０００２】
【従来技術】
撮影装置においては、シャープカットフィルター、ＮＤフィルター、色温度変換フィルター、色補正フィルター、ＣＣＤ用赤外カットフィルター等を使用する場合、フィルターを撮影レンズの前方すなわち被写体側に装着する構成は、フィルターの着脱が容易である利点があるが、フィルターの直径が極めて大きくなり、さらには画角が１８０°近くの広角レンズなるとフィルター枠が画角内に入ってしまう問題が避けられない。
【０００３】
この問題を解決するために、フィルターを広角レンズのマウント側に装着した後部フィルターレンズが採用されている。すなわち、この後部フィルターレンズは、後部フィルター付き撮影装置の鏡筒本体内に、結合光学系とこの結合光学系の後方に配置された撮像手段とを備えたズームレンズの光学鏡筒であって、鏡筒本体内にて動作し、光学フィルターその他の光学素子を結像光学系と撮像手段との間の光路に対して進退させる素子進退手段を設ける構造である（例えば、特許文献１参照）。
【０００４】
他の従来の構成は、撮影レンズ装置であって、底部にベース板を有するレンズ鏡筒と、前記レンズ鏡筒内で光軸上に配置され、複数のレンズ群、固定絞り、押さえリング及び赤外線カットフィルターが保持されると共に外周面にカムピンを有するレンズホルダと、前記レンズ鏡筒に挿着され前記レンズホルダのカムピンと係合するカム溝を有するフォーカス筒部とから構成され、前記フォーカス筒部を回転操作することにより、前記カムピンとカム溝とのカム機構によって前記レンズホルダを光軸上を直動させ像回転及び画ずれを防止する構成である（例えば、特許文献２参照）。
【０００５】
【特許文献１】
特開２００１−２５５４４４号
【特許文献２】
特開２００２−３５０７０１号
【０００６】
【発明が解決しようとする課題】
特許文献１に開示された構成においては、赤外線カットフィルターの装脱を簡易な操作によって行うことができる。しかし、前記赤外線カットフィルターが鏡筒の固定部に取付けられているため、結像光学系が合焦のために前方へ移動させられると、結像光学系の最後面と前記赤外線カットフィルターの間隔が大きくなる。
【０００７】
この場合、特に結像レンズが広角レンズの場合に、結像光学系の最後面から射出される結像光束は大きな角度で末広がりとなり、前記赤外線カットフィルターによる蹴られを防止するために、大きな直径の赤外線カットフィルターを使用しなければならない。そのため、素子進退手段が大型化し、コンパクトな後部フィルター付き撮影装置を構成することが困難である問題がある。
【０００８】
特許文献２に開示された撮影レンズ装置においては、前記フォーカス筒部を回転操作することにより、前記カムピンとカム溝とのカム機構によって、複数のレンズ群、固定絞り、押さえリング及び赤外線カットフィルターを保持した前記レンズホルダを光軸上を直動させるから、複数のレンズ群、固定絞り、押さえリング及び赤外線カットフィルターが回転せず、従って像回転及び画ずれを防止することができる。
【０００９】
しかし、前記レンズホルダによって保持された複数のレンズ群、固定絞り、押さえリング及び赤外線カットフィルターを回転させることができないため、前記レンズホルダの光軸に沿った移動をカムピンとカム溝とのカム機構によって構成しなければならない。このことは、ズームレンズのように特に複数のレンズ群が異なった光軸上の動きをする場合に、多数のカム筒部材を重ねて配置するから、鏡筒が大型化することが避けられない問題がある。
【００１０】
特許文献２に開示された撮影レンズ装置においては、大型化を避けるために固定筒及びレンズホルダにヘリコイドを設けることが考えられる。この構成によって、特に複数のレンズ群が異なった光軸上の動きをする場合でも大型化を防ぐことができるが、複数のレンズ群、固定絞り、押さえリング及び赤外線カットフィルターを保持した前記レンズホルダが回転する。従って、赤外線フィルターを簡易構成で確実に装着できるようにするために、光軸と直角方向から挿入して挿脱自在とすると、挿入方向が回転することにより挿脱操作が困難であることに加えて、撮影レンズ装置の後部に設けられた信号伝播突起部等が赤外線フィルターの挿脱操作を干渉する虞もある。
【００１１】
【発明の目的】
本発明は、従来技術の撮影レンズ装置の上述した問題点に鑑みてなされたものであって、カム筒を有しないことによりコンパクトに構成でき、かつフィルターを挿入するフィルター保持部を常に一定方向を向けることにより、後部フィルター等の光学素子を容易に挿脱できる後部フィルター付き撮影装置を提供することを目的とする。
【００１２】
【課題を解決するための手段】
第１発明は、内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備えたことを特徴とする後部フィルター付き撮影装置である。
【００１３】
第２発明はまた、内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備え、
撮影装置ハウジングに後部フィルター交換窓を設けた後部フィルター付き撮影装置である。
【００１４】
第３発明は、内面に第１ヘリコイドを形成した固定鏡筒部と、
該固定鏡筒部の外側に光軸中心に回動自在に配置された合焦操作筒と、
前記固定鏡筒部の内側に光軸中心に回動自在に配置され前記第１ヘリコイドと係合する第２ヘリコイドを外面に設けた回転筒と、
前記合焦操作筒の回転運動を前記回転筒に伝達し光軸方向移動を伝達しない連結部と、
前記回転筒に一体に取付られた最後レンズ用保持枠と、
前記回転筒又は前記最後レンズ用保持枠の一方の光軸方向移動が伝達され回転運動が伝達されず、後部フィルターを着脱自在に保持する後部フィルター保持枠と、
前記固定鏡筒と一体で前記最後レンズ用保持枠の回転運動を規制する回動規制部とを備えたことを特徴とする後部フィルター付き広角レンズである。
【００１５】
本発明の実施態様は、前記回転筒が、内面に第３ヘリコイドを有し、前記回転筒の内側に光軸方向に移動自在に配置されて非最後レンズを保持し、前記固定鏡筒部によって回転運動が規制され、外面に第３ヘリコイドに係合する第４ヘリコイドを設けた直進筒を有することを特徴とする。
【００１６】
【実施の形態】
（第１実施形態）
本発明の第１実施形態の後部フィルター付き広角レンズ１は、図１に示すように、単焦点レンズであるが、前レンズ群１０と後レンズ群１２からなる光学系であって、前レンズ群１０及び後レンズ群１２は合焦のために光軸Ｏ上を異なった移動を行う。
【００１７】
後部フィルター付き広角レンズ１の鏡筒は、カメラボデー（図示せず）に装着するためのマウント部材２０と一体の固定鏡筒部すなわち内側固定筒２２と、同じくマウント部材２０と一体で鏡筒の最外側に配置された外側固定筒２４と、内側固定筒２２と外側固定筒２４の間に回転自在に配置された合焦操作筒２６とを有する。合焦操作筒２６は、前端の露出部に合焦操作用の柔軟操作リング３０が取付けられている。合焦操作筒２６の後方部には、光軸方向に延びた直進溝２８が設けられている。内側固定筒２２の前方部には、光軸方向に延びた直進溝３８が設けられ、前端部には、フード部材３２が取付けられている。内側固定筒２２の内面には、第１ヘリコイド３４が形成されている。
【００１８】
内側固定筒２２の内側には、回転筒すなわち第１合焦筒４０が配置されている。第１合焦筒４０の外面には、第１ヘリコイド３４と係合する第２ヘリコイド４２が設けられ、第１合焦筒４０の内面には、第３ヘリコイド４４が設けられている。第１合焦筒４０の後部には、直進溝２８に係合する外向きの連結部すなわち連動ピン４６が植設されている。第１合焦筒４０のより後部には、後部フィルターホルダー支持ピン５０が設けられ、さらにより後部には最後レンズ用保持枠すなわち後レンズ群保持枠５２が取付けられている。
【００１９】
第１合焦筒４０の後部の外面には、後部フィルター（図示せず）を光軸Ｏと直交する方向から挿入する構成の後部フィルター保持枠すなわち後部フィルターホルダー６０が、回動自在に取付けられている。後部フィルターホルダー６０の内面には、後部フィルターホルダー支持ピン５０が係合する円周溝６２が設けられ、外面に直進ガイドピン６４が植設され、後端部に後部フィルター押え６６が形成されている。
マウント部材２０の内側には、保護環７０が取付られている。保護環７０の内面には、光軸方向に延びて直進ガイドピン６４が係合する直進溝７４が設けられている。直進ガイドピン６４と直進溝７４は、回転規制部を構成する。
【００２０】
第１合焦筒４０の内側には、第２合焦筒８０が配置されている。第２合焦筒８０の外面には、第４ヘリコイド８６が設けられ、第２合焦筒８０の前部には、直進溝３８に係合する直進ガイドピン８２が植設され、前端部には、前レンズ群保持枠８４が取付けられている。
【００２１】
上述した構成の後部フィルター付き広角レンズ１の作動は以下のとおりである。合焦のために柔軟操作リング３０を回動させると、直進溝２８と連動ピン４６の係合によって第１合焦筒４０が回転する。その結果、第１ヘイコイド３４と第ヘリコイド４２の係合によって、第１合焦筒４０が回転しながら光軸方向に移動し、従って後レンズ群１２も回転しながら光軸方向に移動する。第１合焦筒４０の光軸方向移動は、円周溝６２と後部フィルターホルダー支持ピン５０の係合によって後部フィルターホルダー６０に伝達される。後部フィルターホルダー６０の回転は、直進溝７４と直進ガイドピン６４の係合によって規制されている。従って、後部フィルターホルダー６０は、常に特定の後部フィルター挿入方向を維持している。
【００２２】
第１合焦筒４０の光軸方向移動及び第３ヘリコイド４４及び第４ヘリコイド８６の係合により第２合焦筒８０が光軸方向に移動する。第２合焦筒８０の回転は、直進溝３８と直進ガイドピン８２の係合によって規制されている。従って、前レンズ群１０は回転することなく、光軸方向に移動する。
【００２３】
（第２実施形態）
本発明の第２実施形態の後部フィルター付き撮影装置は、撮影レンズを固着した撮影装置であって、第１実施形態と同じ構成の撮影レンズを取り外すことによって後部フィルターの着脱をすることはできない。撮影装置本体には、後部フィルター交換窓が形成されていて、これを通して後部フィルターを一定方向を向いた後部フィルター押えに装脱する。
【００２４】
【発明の効果】
本発明によれば、カム筒を有しないことによりコンパクトに構成でき、かつフィルターを挿入するフィルター保持部を常に一定方向を向けることにより、後部フィルター等の光学素子を容易に挿脱できる後部フィルター付き撮影装置を構成することができる効果を有する。
【図面の簡単な説明】
【図１】本発明の第１実施形態の後部フィルター付き広角レンズの断面図である。
【符号の説明】
Ｏ            光軸
１            後部フィルター付き広角レンズ
１０          前レンズ群
１２          後レンズ群
２０          マウント部材
２２          内側固定筒
２４          外側固定筒
２６          合焦操作筒
２８          直進溝
３４          第１ヘリコイド
４０          第１合焦筒
４２          第２ヘリコイド
４６          連動ピン
５０          後部フィルターホルダー支持ピン
５２          後レンズ群保持枠
６０          後部フィルターホルダー
６６          後部フィルター押え
７０          保護環
８０          第２合焦筒
【図１】
2005037532.tif 000003